(57)【要約】【課題】  マンコンベアの欄干の改修やリニューアルを効率良くかつ精度良く行えるようにする。【解決手段】  欄干パネル１３の下端部を受け止め支持するパネル受け１２を複数個取り付け可能なパネル受けベース４をトラス１上に取付具１６を介して仮固定する。位置決め用治具１９の幅ゲージ２１に設けたけがき線２３が予め設置したセンターラインＣ．Ｌの真下に位置するように各芯出し部１２をそれぞれガイドレール３上に載置し、スペーサ２２で左右に移動しないように固定する。パネル受けベース４の側縁を幅ゲージ２１の先端部に当接させてパネル受けベース４を左右方向に位置決めした後、パネル受けベース４をトラス１上に固定する。【選択図】      図２
2006082896.tif 000002
【特許請求の範囲】
【請求項１】
マンコンベアのトラス上に載置されるパネル受けベースと、
前記パネル受けベース上に取り付けられ、マンコンベアの欄干パネルの下端部を受け止め支持する複数個のパネル受けと、
前記パネル受けベースを前記トラスに対して前記欄干パネルと略直交する方向に移動可能に固定可能な固定手段と、
を具備することを特徴とするマンコンベアの欄干パネル取付装置。
【請求項２】
前記パネル受けベースに当接させることにより前記パネル受けを前記パネル受けベースに対して位置決めするストッパが前記パネル受けに設けられたことを特徴とする請求項１記載のマンコンベアの欄干パネル取付装置。
【請求項３】
前記パネル受けベースに上方に向けて突出したスタッドボルトが設けられ、前記パネル受けに前記スタッドボルトを貫通させる貫通穴が設けられ、この貫通穴に前記スタッドボルトを貫通させて前記パネル受けを前記パネル受けベース上に取り付けるようにしたことを特徴とする請求項１又は請求項２記載のマンコンベアの欄干パネル取付装置。
【請求項４】
前記パネル受けが前記パネル受けベースに対して前記欄干パネルと略平行な方向に移動可能であることを特徴とする請求項１乃至請求項３のいずれか一項記載のマンコンベアの欄干パネル取付装置。
【請求項５】
前記パネル受けベースが前記欄干パネルと略平行な方向に複数個連結可能であると共に、連結することにより互いに位置決めされるように構成されたたことを特徴とする請求項１乃至請求項４のいずれか一項記載のマンコンベアの欄干パネル取付装置。
【請求項６】
請求項１乃至請求項５のいずれか一項記載の欄干パネル取付装置をマンコンベアのトラス上の所定箇所に位置決めするためのものであって、
前記トラス内を循環移動する多数のステップを案内する左右一対のガイドレール上にそれぞれ載置され、上下に延びる左右一対の芯出し部と、
前記一対の芯出し部の上部に両端部が前記芯出し部の側方に突出するように設けられ、前記トラス上に載置された前記パネル受けベースの側縁にいずれかの端部を当接させることにより前記パネル受けベースを左右方向に位置決めする幅ゲージと、
前記幅ゲージの左右方向中央部に設けられ、予め設置された前記トラスのセンターラインと合わせることにより前記幅ゲージを前記センターラインに対して左右対称となるように位置決めするための指標と、
前記一対の芯出し部の前記一対のガイドレールに対する左右方向の移動を規制する規制手段と、
を具備することを特徴とする位置決め用治具。
【発明の詳細な説明】
【技術分野】
【０００１】
本発明は、エスカレータや動く歩道等のマンコンベアの欄干パネル取付装置及びその位置決め用治具に関する。
【背景技術】
【０００２】
周知のように、エスカレータや動く歩道等のマンコンベアは、トラスと、無端状に配列され、トラス内を循環移動する多数のステップと、これらのステップを移動方向に案内する左右一対のガイドレールと、ステップの移動方向両側に立設された左右一対の欄干と、各欄干の周縁部に装着されると共にステップと同期して移動する左右一対の無端状の手摺ベルトとを備えている。
【０００３】
また、欄干は、ガラス等から成る欄干パネルと、その上端部に設けられ、手摺ベルトを支持するデッキと、乗客の足元を保護するスカート等を有している。
【０００４】
マンコンベアのリニューアル又は改修時においては、ガイドレールを残して、欄干パネル、デッキ、手摺ベルト等、マンコンベアの意匠に関係する部品を変更及び交換する必要があり、それを可能とするため、トラスに形成された穴にボルトを介してパネル受けを着脱自在に取り付け、このパネル受けによって欄干パネルの下端部を受け止め支持するようにしている。
【０００５】
従来、パネル受けの取り付けは以下のようにして行っていた。すなわち、トラスの両端に立設された一対のセンターポール間に張り渡されたセンターラインから下げ振りを垂らし、パネル受けを一つずつセンターラインからの振り分けで位置決め調整し、パネル受けがトラスの傾斜で滑り落ちないように支えながらボルトで固定していた。
【発明の開示】
【発明が解決しようとする課題】
【０００６】
このような方法では、パネル受けを一つ一つ下げ振りで位置を調整しながら取り付けなければならないため、非常に手間がかかり、階床間の高さが大きくてパネル受けの数が多いと、パネル受けの取り付けに要する時間が多くなり、工期に影響が出てくる。
【０００７】
また、このような方法では、パネル受けの位置が微妙にずれ、欄干パネルを取り付ける際にパネル間に段差が生じてパネルに不要な力が作用することがあった。
【０００８】
また、パネル受けをトラスにあらかじめ設けられた穴のピッチで取り付けるようにしているため、欄干パネルをその穴のピッチで割り付けなければならず、客先からの要求を反映しにくく、特殊なピッチとなると、標準品のパネルが使用できないのでコスト的に割高となる。
【０００９】
また、ピッチを変更する場合には、パネル受けを他の位置に取り付けることができるように、トラスに電動ドリルや油圧パンチャー等で穴を一つ一つ明ける加工を行うことになるが、パネル受けを固定するためにはサイズ的に大きめのボルトを用いて４点程度で固定する必要が有るし、トラスに穴を明ける作業にしても、一度に大きい穴を明けることができないため、一つの穴を明けるのに三段階程度で穴加工を行う必要があり、膨大な時間を要すると共に、多くの作業者を必要とする。
【００１０】
また、穴位置がずれれば追加で穴明けを行ったり、穴を広げたりする作業が追加されるため、大変な苦労と時間が必要となる。
【００１１】
なお、トラスに加工を加えることでトラスの強度に影響を与える場合があるので、加工できる箇所が制限される場合もある。
【課題を解決するための手段】
【００１２】
上記課題を解決するために、本発明によれば、
マンコンベアのトラス上に載置されるパネル受けベースと、
前記パネル受けベース上に取り付けられ、マンコンベアの欄干パネルの下端部を受け止め支持する複数個のパネル受けと、
前記パネル受けベースを前記トラスに対して前記欄干パネルと略直交する方向に移動可能に固定可能な固定手段と、
を具備する欄干パネル取付装置が提供される。
【００１３】
また、本発明によれば、
前記欄干パネル取付装置をマンコンベアのトラス上の所定箇所に位置するためのものであって、
前記トラス内を循環移動する多数のステップを案内する左右一対のガイドレール上にそれぞれ載置され、上下に延びる左右一対の芯出し部と、
前記一対の芯出し部の上部に両端部が前記芯出し部の側方に突出するように設けられ、前記トラス上に載置された前記パネル受けベースの側縁にいずれかの端部を当接させることにより前記パネル受けベースを左右方向に位置決めする幅ゲージと、
前記幅ゲージの左右方向中央部に設けられ、予め設置された前記トラスのセンターラインと合わせることにより前記幅ゲージを前記センターラインに対して左右対称となるように位置決めするための指標と、
前記一対の芯出し部の前記一対のガイドレールに対する左右方向の移動を規制する規制手段と、
を具備することを特徴とする位置決め用治具が提供される。
【発明の効果】
【００１４】
本発明によれば、マンコンベアの欄干パネルを効率良くかつ精度良く取り付けることができるので、マンコンベアの欄干の改修やリニューアルが容易となる。
【発明を実施するための最良の形態】
【００１５】
以下、本発明の一実施形態を図面に基づいて説明する。図１は本発明の一実施形態である欄干パネル取付装置のパネル受けベース、トラス、ガイドレールの斜視図、図２は欄干パネル取付装置、位置決め用治具、トラス、ガイドレールの斜視図、図３、図４は欄干パネルの取付方法の説明図である。
【００１６】
図１において、１はエスカレータのトラスであり、欄干を構成する部品（デッキ、パネル、スカート等）が取り外された状態を示している。このトラス１には、その長さ方向及び幅方向に所定間隔をおいて多数の穴２、２、・・・が設けられている。また、トラス１には、無端状に配列された多数のステップ（図示せず）を移動方向に案内する左右一対のガイドレール３、３が取り付けられている。
【００１７】
本実施形態の欄干パネル取付装置の一部を構成するパネル受けベース４は長方形の板状のもので、その長さ方向及び幅方向に所定間隔をおいて多数の長円状の取付穴５、５、・・・が設けられている。これらの取付穴５、５、・・・の間隔はトラス１の穴２、２、・・・の間隔と対応している。
【００１８】
パネル受けベース４は取付具６を介してトラス１上に固定される。この取付具６は、直方体状の基部７の上面から一対のボルト８、８の軸部を上方に向けて突出させたものであり、ボルト８、８の間隔はトラス１の穴２、２、・・・の横方向の間隔と対応している。
【００１９】
パネル受けベース４をトラス１の上面の所定箇所に載置し、トラス１の下面側から取付具６の各ボルト８をトラス１の穴２及びパネル受けベース４の取付穴５に貫通させて上方に突出させ、各ボルト８にナット（図示せず）を螺着することにより、パネル受けベース４がトラス１上に固定される。
【００２０】
パネル受けベース４上には、長さ方向に間隔をおいて、複数個のパネル受け取付部９、９、・・・が設けられている。図２に示すように、このパネル受け取付部９は、互いに平行に延びる一対の凸条１０、１０を有する断面略Ｍ字形のもので、各凸条１０の上面には一対のスタッドボルト１１、１１が左右に間隔をおいて立設されている。なお、このパネル受け取付部９は、図示しない締結部材を介してパネル受けベース４に固定されており、この締結部材を緩めることで、パネル受けベース４の長手方向に移動させることができるようになっている。
【００２１】
各パネル受け取付部９にはパネル受け１２が取り付けられる。このパネル受け１２は、欄干パネル１３（図４参照）の下端部を受け止め支持するためのものであり、上面及び一側面が開口した箱形で、前後の側壁の上端が外側に直角に折り曲げられてフランジ部１４を形成している。
【００２２】
また、パネル受け１２における開口側面と対向する側面には断面Ｌ字形のブラケット１５が取り付けられている。このブラケット１５上には、前後一対の断面コの字形のパネル当て１６、１６が間隔をおいて立設されている。
【００２３】
さらに、ブラケット１５の下方において、パネル受け１２の側面に矩形板状のストッパ１７が取り付けられており、その下端部は、パネル受け１２の底面の下方に突出している。また、パネル受け１２の底壁には、パネル受け取付部９上に立設された四本のスタッドボルト１１、１１、・・・・を貫通させる四個の貫通穴１８、１８、・・・（図３参照）が形成されている。
【００２４】
パネル受けベース４は、位置決め用治具１９によりトラス１上に位置決めされる。この位置決め用治具１９は、ガイドレール３、３の間隔と対応する間隔をおいて配置され、上下に延びる左右一対の棒状の芯出し部２０、２０と、これらの上端部に固定され、両端部が芯出し部２０、２０の側方に突出した棒状の幅ゲージ２１と、芯出し部２０、２０とガイドレール３、３の側面との間に挿入される断面Ｌ字形のスペーサ２２、２２とを有している。なお、スペーサ２２は、芯出し部２０とガイドレール３との隙間の大きさに応じたものを適宜選択して使用する。
【００２５】
次に、この位置決め用治具１９を用いてパネル受けベース４をトラス１上に位置決めする方法を説明する。
【００２６】
パネル受けベース４をトラス１上の所定箇所に載置し、図３に示すように、取付具６のボルト８、８をトラス１の下面側からトラス１の穴２及びパネル受けベース４の取付穴５、５に貫通させ、パネル受けベース４の上方に突出したボルト８、８の先端部にナット（図示せず）を螺合して緩やかに締め付け、パネル受けベース４をトラス１上に仮固定する。
【００２７】
次いで、このパネル受けベース４の側方において、位置決め用治具１９を、幅ゲージ２２の左右方向中央部に形成されたけがき線２３が、予め設置したセンターラインＣ．Ｌの真下に位置するようにして芯出し部２０、２０をガイドレール３、３上に載置する。そして、各芯出し部２０とガイドレール３の間の隙間の大きさに適合したスペーサ２２を各芯出し部２０とガイドレール３の間に挿入して芯出し部２０、２０をガイドレール３、３に対して左右方向に固定する。
【００２８】
次いで、トラス１上に載置されたパネル受けベース４の一方の側縁を幅ゲージ２１の先端部に当接させてパネル受けベース４を左右方向に位置決めする。なお、この作業は、一つのパネル受けベース４の両端部について行うようにすると、より高精度な位置決めを行うことができる。そして、パネル受けベース４の取付穴５、５から突出したボルト８、８に螺合したナットを強く締め付けてパネル受けベース４をトラス１に固定する。このようにして全てのパネル受けベース４をトラス１上に位置決め固定する。
【００２９】
なお、パネル受けベース４を、長手方向（欄干パネル１３と略平行な方向）に複数個連結可能とすると共に、連結することにより互いに位置決めされるように構成しておくと、一つのパネル受けベースをトラス上に位置決めした後、このパネル受けベースに他のパネル受けベースを順次連結することで、他のパネル受けベースを自動的に位置決めすることができるので、作業の手間がより軽減し、工期の短縮を図ることができる。
【００３０】
次いで、トラス１上に固定されたパネル受けベース４の各パネル受け取付部９にパネル受け１２を固定する。すなわち、パネル受け取付部９の上方からパネル受け１２の底壁に設けられた貫通穴１８、１８、・・・にスタッドボルト１１、１１を貫通させてパネル受け１２をパネル受け取付部９上に載置し、ストッパ１７をパネル受けベース４の側縁に押し当て（図４参照）た状態で各スタッドボルト１１の先端にナット（図示せず）を螺合して強く締め付ける。
【００３１】
次いで、図４に示すように、欄干パネル１３の下端部をパネル当て１６とブラケット１５の内側面との間に挿入してブラケット１５上に載置する。なお、パネル当て１６とブラケット１５の間には断面Ｕ字状のスペーサ２４を挿入して欄干パネル１３との間に隙間が生じないようにする。
【００３２】
このように、複数個のパネル受け１２を取り付け可能なパネル受けベース４を位置決め用治具１９でトラス１上に位置決めし、各パネル受け１２のストッパ１７をパネル受けベース４に押し当ててパネル受け１２を位置決めするようにしたことにより、従来のように、各パネル受け１２をセンターラインＣ．Ｌから垂下した下げ振りに基づいて一つ一つ位置決めする場合に比べてパネル受け１２の位置決め作業が容易となる。
【００３３】
また、スタッドボルト１１にパネル受け１２を差し込んで取り付けるようにしたことで、トラス１の傾斜によってパネル受け１２が滑り落ちることがなく、パネル受け１２の取り付けを作業性良く行うことができる。したがって、特に、階床間の高さが大きいマンコンベアの場合、作業性が大幅に向上して大幅な工期短縮を図ることができる。
【００３４】
また、各パネル受け１２を精度良く位置決めすることができるため、欄干パネル、デッキボード、スカートパネル等の意匠物継ぎ目や突き合わせ部分の段差が小さくなり、外観が向上すると共に、意匠物に不要な力が作用することがない。
【００３５】
さらに、溶接作業が不要な無火器工法であるため、安全度が高く、近くに営業中の店舗があっても、安全柵を設置するだけで作業を行うことができる。
【００３６】
なお、欄干パネル１３のピッチを改修前のピッチと異なるピッチにする場合には、パネル受け取付部９をパネル受けベース４の長手方向に移動させて位置を変更することで、標準品の欄干パネルのピッチに対応することができる。したがって、特別仕様の欄干パネルを用意する必要がなく、コスト的に割高となることがないと共に、トラスに穴を明ける作業が不要となる。
【００３７】
以上、具体例を示して本発明の一実施形態を説明したが、本発明は上記実施形態に限定されるものではなく、本発明の要旨を逸脱しない範囲で上記実施形態に種々の改変を施すことができる。
【図面の簡単な説明】
【００３８】
【図１】本発明の一実施形態である欄干パネル取付装置のパネル受けベース、トラス、ガイドレールの斜視図である。
【図２】欄干パネル取付装置、位置決め用治具、トラス、ガイドレールの斜視図である。
【図３】欄干パネルの取付方法の説明図である。
【図４】欄干パネルの取付方法の説明図である。
【符号の説明】
【００３９】
１  トラス
４  パネル受けベース
５  取付穴（固定手段）
６  取付具（固定手段）
１１  スタッドボルト
１７  ストッパ
１８  貫通穴
１９  位置決め用治具
２０  芯出し部
２１  幅ゲージ
２２  スペーサ（規制手段）
２３  けがき線（指標）
【図１】
2006082896.tif 000003
【図２】
2006082896.tif 000004
【図３】
2006082896.tif 000005
【図４】
2006082896.tif 000006